(57)【要約】【課題】物理的にはリライタブルディスクとされているディスクをライトワンス型として適切に使用できるようにする。【解決手段】  リライタブルディスクをそのままリライタブル用途で使用する場合は、所定のデータ単位（例えばＥＣＣブロック）のデータ書き出し位置を、基準位置に対する第１の位置に設定して記録再生を行い、一方、リライタブルディスクをライトワンス用途で使用する場合は、上記第１の位置とは異なる第２の位置を、所定のデータ単位のデータ書き出し位置として記録再生を行う。データ書き出し位置が異なるようにすることで、ライトワンス用途とされたリライタブル記録媒体を、ライトワンス用途とすることを想定していない記録再生装置に装填した場合に、当該記録媒体に記録されたデータの書換ができないようにする。【選択図】      図３
2005182892.tif 000002
【特許請求の範囲】
【請求項１】
装填された、データ書換可能な物理構造を有する記録媒体に対してデータ記録動作を行う記録手段と、
装填された上記記録媒体について、データ書換可能とするリライタブル用途であるか、１回のみデータ書込可能とするライトワンス用途であるかを判別する判別手段と、
上記記録媒体が、上記判別手段によりリライタブル用途と判別された場合は、所定のデータ単位のデータ書き出し位置を、基準位置に対する第１の位置に設定して上記記録手段による記録動作を実行させ、上記判別手段によりライトワンス用途と判別された場合は、所定のデータ単位のデータ書き出し位置を、上記基準位置に対する第２の位置に設定して上記記録手段による記録動作を実行させる制御手段と、
を備えたことを特徴とする記録装置。
【請求項２】
上記判別手段は、上記記録媒体において物理的に書換不能な再生専用情報として記録されている種別情報に基づいて、その記録媒体がリライタブル用途かライトワンス用途かを判別することを特徴とする請求項１に記載の記録装置。
【請求項３】
上記記録媒体は、データトラックのウォブリングにより再生専用情報が記録された記録媒体であり、
上記基準位置は、ウォブリングによる再生専用情報の情報単位で規定される基準位置であることを特徴とする請求項１に記載の記録装置。
【請求項４】
上記所定のデータ単位とは、エラー訂正ブロック単位であり、
上記第２の位置は、
上記第２の位置をデータ書き出し位置として記録されたデータを、上記第１の位置をデータ書き出し位置とみなして再生した場合に、上記エラー訂正ブロック単位が抽出できないことになる位置とされることを特徴とする請求項１に記載の記録装置。
【請求項５】
装填された、データ書換可能な物理構造を有する記録媒体について、データ書換可能とするリライタブル用途であるか、１回のみデータ書込可能とするライトワンス用途であるかを判別する判別ステップと、
上記記録媒体が上記判別ステップによりリライタブル用途と判別された場合は、記録指示に応じて、所定のデータ単位のデータ書き出し位置を、基準位置に対する第１の位置に設定して記録動作を実行する第１の記録ステップと、
上記記録媒体が上記判別ステップによりライトワンス用途と判別された場合は、記録指示に応じて、所定のデータ単位のデータ書き出し位置を、上記基準位置に対する第２の位置に設定して記録動作を実行する第２の記録ステップと、
を備えたことを特徴とする記録方法。
【請求項６】
装填された、データ書換可能な物理構造を有する記録媒体に対してデータ再生動作を行う再生手段と、
装填された上記記録媒体について、データ書換可能とするリライタブル用途であるか、１回のみデータ書込可能とするライトワンス用途であるかを判別する判別手段と、
上記記録媒体が、上記判別手段によりリライタブル用途と判別された場合は、所定のデータ単位のデータ書き出し位置を、基準位置に対する第１の位置と判断して上記再生手段による再生動作を実行させ、上記判別手段によりライトワンス用途と判別された場合は、所定のデータ単位のデータ書き出し位置を、上記基準位置に対する第２の位置と判断して上記再生手段による再生動作を実行させる制御手段と、
を備えたことを特徴とする再生装置。
【請求項７】
上記判別手段は、上記記録媒体において物理的に書換不能な再生専用情報として記録されている種別情報に基づいて、その記録媒体がリライタブル用途かライトワンス用途かを判別することを特徴とする請求項６に記載の再生装置。
【請求項８】
上記記録媒体は、データトラックのウォブリングにより再生専用情報が記録された記録媒体であり、
上記基準位置は、ウォブリングによる再生専用情報の情報単位で規定される基準位置であることを特徴とする請求項６に記載の再生装置。
【請求項９】
上記所定のデータ単位とは、エラー訂正ブロック単位であり、
上記第２の位置は、
上記第２の位置をデータ書き出し位置として記録されたデータを、上記第１の位置をデータ書き出し位置とみなして再生した場合に、上記エラー訂正ブロック単位が抽出できないことになる位置とされることを特徴とする請求項６に記載の再生装置。
【請求項１０】
装填された、データ書換可能な物理構造を有する記録媒体について、データ書換可能とするリライタブル用途であるか、１回のみデータ書込可能とするライトワンス用途であるかを判別する判別ステップと、
上記記録媒体が上記判別ステップによりリライタブル用途と判別された場合は、再生指示に応じて、所定のデータ単位のデータ書き出し位置を、基準位置に対する第１の位置と判断して再生動作を実行する第１の再生ステップと、
上記記録媒体が上記判別ステップによりライトワンス用途と判別された場合は、再生指示に応じて、所定のデータ単位のデータ書き出し位置を、上記基準位置に対する第２の位置と判断して再生動作を実行する第２の再生ステップと、
を備えたことを特徴とする再生方法。
【発明の詳細な説明】
【技術分野】
【０００１】
本発明は、例えば光ディスク等の記録媒体に対する記録装置、再生装置、及び記録方法、再生方法に関するものである。
【背景技術】
【０００２】
【特許文献１】特公平８−１０４８９号公報
【０００３】
光ディスクの分野では、例えばＣＤ（Compact Disc）、ＤＶＤ（Digital Versatile Disc）、ブルーレイディスク（Blu-Ray Disc）のように各種多様な規格のディスクが開発されているが、これら各種の規格のディスクの範疇の中では、機能的にみて、再生専用ディスク、記録可能ディスクが存在する。また記録可能ディスクの中には、１回だけ書き込み可能なライトワンスディスクと、書換可能なリライタブルディスクがある。
例えばＣＤ規格で言えば、ＣＤ−ＤＡ（オーディオ用ＣＤ）やＣＤ−ＲＯＭは再生専用ディスクであり、ＣＤ−Ｒはライトワンスディスク、ＣＤ−ＲＷはリライタブルディスクとして知られている。
【０００４】
通常、再生専用ディスクは、データがエンボスピットで形成されていることで物理的に書換が不能とされたディスクである。
またライトワンスディスクは、記録層に色素変化膜を用い、レーザ照射により色素変化によるピット形成するタイプが代表的である。
またリライタブルディスクとしては、相変化記録層にレーザ照射を行うことで相変化ピットの形成（書換）が可能とされるものが知られている。
【０００５】
リライタブルディスクは、何度も書換可能であることから、ディスクを用いたデータの保存を柔軟に行うことができ、使用性がよいという利点がある。
一方、ライトワンスディスクは、データ書込が１回しかできない。しかしながら逆に、データ書換ができないという特徴を生かすことで、データストレージ用途に好適なメディアとされている。例えば改竄されたくない重要なデータの保存に適しているためである。
【０００６】
なお、リライタブルディスクに対する記録動作に関しては、上記特許文献１に記載されているように、同じ場所を繰り返して記録することにより記録層が劣化するという相変化膜の性質を考慮して、記録開始点を変化させる技術が知られている。
【発明の開示】
【発明が解決しようとする課題】
【０００７】
ところで、ライトワンスディスクとリライタブルディスクは、そもそも物理的な構造が異なる（色素変化膜・相変化膜）ものであり、これらはディスク自体で明確に区別されている。しかしながら、リライタブルディスクを用いてライトワンス型の記録を行うようにしたいという要望がある。
リライタブルディスクに対して１回だけ書き込み可能とすることは、例えば記録装置（ディスクドライブ装置）がソフトウエア的に記録動作を制御することで可能である。つまり、装填されたリライタブルディスクをライトワンスディスクとして扱う場合は、既にデータ記録されている領域に対してはデータ書き込み（つまり書換）を禁止するようにしたファームウエアをディスクドライブ装置に搭載すればよい。
【０００８】
しかしながらこれだけでは、ライトワンスディスクとすることの利点が生かされない。  ライトワンスディスクとして使用したいということは、データ改竄ができないという特質を生かす点が重要視されることともいえる。
そして或る特定のディスクドライブ装置で、物理的に書換可能なリライタブルディスクを、上記のようにファームウエア制御でライトワンスディスクとして扱っていても、データ書換（データ改竄）が不能となることはない。即ち、その特定のディスクドライブ装置では、データ書換ができないようにファームウエア制御されるとしても、そのディスクが、リライタブルディスクをライトワンス型として扱うことが想定されていないディスクドライブ装置に装填された場合、通常のリライタブルディスクとして扱われてしまうため、全く普通にデータ書換が可能となってしまう。
このため、リライタブルディスクをわざわざライトワンスディスクとして扱う意義が薄れてしまう。
【０００９】
つまり、物理的にはリライタブルディスクとされているディスクをライトワンス型として扱いたいという要望があり、また特定のディスクドライブ装置のみでそれを実現するのは容易であるが、そのディスクについて、既存のあらゆるディスクドライブ装置においてデータ書換を不能とすることできないため、上記要望の実現は困難とされていた。
【課題を解決するための手段】
【００１０】
本発明はこのような問題に鑑みて、物理的にはリライタブルディスクとされているディスクをライトワンス型として扱うようにする場合に、そのディスクがあらゆるディスクドライブ装置においてデータ書換不能となるようにして、ライトワンス型として利用する場合の利点が得られるようにすることを目的とする。
【００１１】
このため本発明の記録装置は、装填された、データ書換可能な物理構造を有する記録媒体に対してデータの記録動作を行う記録手段と、装填された上記記録媒体について、データ書換可能とするリライタブル用途であるか、１回のみデータ書込可能とするライトワンス用途であるかを判別する判別手段と、上記記録媒体が、上記判別手段によりリライタブル用途と判別された場合は、所定のデータ単位のデータ書き出し位置を、基準位置に対する第１の位置に設定して上記記録手段による記録動作を実行させ、上記判別手段によりライトワンス用途と判別された場合は、所定のデータ単位のデータ書き出し位置を、上記基準位置に対する第２の位置に設定して上記記録手段による記録動作を実行させる制御手段とを備えるようにする。
【００１２】
また本発明の再生装置は、装填された、データ書換可能な物理構造を有する記録媒体に対してデータの再生動作を行う再生手段と、装填された上記記録媒体について、データ書換可能とするリライタブル用途であるか、１回のみデータ書込可能とするライトワンス用途であるかを判別する判別手段と、上記記録媒体が、上記判別手段によりリライタブル用途と判別された場合は、所定のデータ単位のデータ書き出し位置を、基準位置に対する第１の位置と判断して上記再生手段による再生動作を実行させ、上記判別手段によりライトワンス用途と判別された場合は、所定のデータ単位のデータ書き出し位置を、上記基準位置に対する第２の位置と判断して上記再生手段による再生動作を実行させる制御手段とを備えるようにする。
【００１３】
また、これらの記録装置又は再生装置における上記判別手段は、上記記録媒体において物理的に書換不能な再生専用情報として記録されている種別情報に基づいて、その記録媒体がリライタブル用途かライトワンス用途かを判別する。
また上記記録媒体は、データトラックのウォブリングにより再生専用情報が記録された記録媒体であり、上記基準位置は、ウォブリングによる再生専用情報の情報単位で規定される基準位置であるとする。
また上記所定のデータ単位とは、エラー訂正ブロック単位であり、上記第２の位置は、上記第２の位置をデータ書き出し位置として記録されたデータを、上記第１の位置をデータ書き出し位置とみなして再生した場合に、上記エラー訂正ブロック単位が抽出できないことになる位置とされるようにする。
【００１４】
本発明の記録方法は、装填された、データ書換可能な物理構造を有する記録媒体について、データ書換可能とするリライタブル用途であるか、１回のみデータ書込可能とするライトワンス用途であるかを判別する判別ステップと、上記記録媒体が上記判別ステップによりリライタブル用途と判別された場合は、記録指示に応じて、所定のデータ単位のデータ書き出し位置を、基準位置に対する第１の位置に設定して記録動作を実行する第１の記録ステップと、上記記録媒体が上記判別ステップによりライトワンス用途と判別された場合は、記録指示に応じて、所定のデータ単位のデータ書き出し位置を、上記基準位置に対する第２の位置に設定して記録動作を実行する第２の記録ステップとを備える。
【００１５】
本発明の再生方法は、装填された、データ書換可能な物理構造を有する記録媒体について、データ書換可能とするリライタブル用途であるか、１回のみデータ書込可能とするライトワンス用途であるかを判別する判別ステップと、上記記録媒体が上記判別ステップによりリライタブル用途と判別された場合は、再生指示に応じて、所定のデータ単位のデータ書き出し位置を、基準位置に対する第１の位置と判断して再生動作を実行する第１の再生ステップと、上記記録媒体が上記判別ステップによりライトワンス用途と判別された場合は、再生指示に応じて、所定のデータ単位のデータ書き出し位置を、上記基準位置に対する第２の位置と判断して再生動作を実行する第２の再生ステップとを備える。
【００１６】
以上の本発明によれば、リライタブルメディアをそのままリライタブル用途で使用する場合は、所定のデータ単位のデータ書き出し位置を、基準位置に対する第１の位置に設定して記録又は再生を行う。この場合、第１の位置とは、例えばリライタブルディスクとしてのディスクフォーマットで規定される位置である。
一方、リライタブルメディアをライトワンス用途で使用する場合は、上記第１の位置とは異なる第２の位置を、所定のデータ単位のデータ書き出し位置として記録又は再生を行う。
このように、データの書き出し位置が、例えばリライタブルディスクとしてのディスクフォーマットとは合致しない位置となるようにする。すると、このディスクが他の記録再生装置（リライタブルディスクをライトワンス用途とすることを想定していない装置）に装填されたとしても、データの書換はできないものとなる。つまり、当該ディスクに対してデータ書き出し位置が判別できないためデータ再生も不能となり、また、無理に書換を行えば、記録されているデータは破壊されることになって、結局、記録されているデータを改竄することはできない。
【発明の効果】
【００１７】
本発明によれば、リライタブル記録媒体をそのままリライタブル用途で使用する場合は、所定のデータ単位のデータ書き出し位置を、基準位置に対する第１の位置に設定して記録又は再生を行い、一方、リライタブル記録媒体をライトワンス用途で使用する場合は、上記第１の位置とは異なる第２の位置を、所定のデータ単位のデータ書き出し位置として記録又は再生を行う。これにより、ライトワンス用途とされたリライタブル記録媒体を、ライトワンス用途とすることを想定していない記録再生装置に装填した場合、当該記録媒体に記録されたデータの書換はできないものとなる。
つまり本発明の記録装置では、リライタブル記録媒体をライトワンス用途として用いる場合は、例えばファームウエア制御により、データ書換不能なライトワンスメディアとして正しく使用できるとともに、他の記録再生装置でもデータ書換（改竄）ができない状態を保つことができる。これによって、データ改竄不能というライトワンスメディアの特質を生かしながら、リライタブル記録媒体をライトワンス用途として適切に使用することができるようになる。例えば業務用のデータストレージ用途などに好適となる。
そして本発明の再生装置によれば、第２の位置をデータ書き出し位置としてデータが記録されたライトワンス用途のリライタブルディスクから、適正なデータ再生が可能となる。
【００１８】
また本発明の記録装置、再生装置は、記録媒体において物理的に書換不能な再生専用情報として記録されているディスク種別情報に基づいて、その記録媒体がリライタブル用途かライトワンス用途かを判別する。これは、物理的にはリライタブルメディアとされた記録媒体としての固体毎に、リライタブル用途かライトワンス用途かの別が設定されていることを意味するとともに、ライトワンス用途とされたリライタブル記録媒体を、リライタブル用途に変更できないことも意味する。記録媒体単位で用途が固定されていることで、記録媒体の使用形式が明確となり、使用性が良いものとなると共に、例えば一旦リライタブル用途として使用した記録媒体がライトワンス用途に変更されてしまって、適切なデータ記録再生ができなくなるということも発生しない。
【００１９】
また記録媒体は、データトラックのウォブリングにより再生専用情報が記録された記録媒体であり、第１，第２の位置を決定する基準位置は、ウォブリングによる再生専用情報の情報単位で規定される基準位置であるとすることが動作上適切である。
また第２の位置は、第２の位置をデータ書き出し位置として記録されたデータを、第１の位置をデータ書き出し位置とみなして再生した場合に、エラー訂正ブロック単位が抽出できないことになる位置とされるようにすることが、他の記録再生装置に装填された場合に書換不能にするいう点で最適である。
【発明を実施するための最良の形態】
【００２０】
以下、本発明の実施の形態として、相変化記録層を有するリライタブルディスクを含めた光ディスクに対する記録再生装置（ディスクドライブ装置）を例に挙げ、次の順序で説明する。
１．ディスクのエリア構造
２．ウォブルフォーマット
３．データフォーマット
４．リライタブルディスクのデータ書き出し位置
５．ディスクドライブ装置の構成
６．ＲＷ用途及びＷＯ用途での記録再生動作
【００２１】
１．ディスクのエリア構造
本発明の実施の形態は、例えばＣＤ規格、ＤＶＤ規格、ブルーレイディスク規格、その他多様な規格のディスクメディアとして、特にリライタブルディスクを含む規格のディスクメディアに対応する記録再生装置及び記録再生方法として適用できる。以下では、実施の形態の説明のため、ディスクのエリア構造やウォブルフォーマット、データフォーマットとして、或る一例を挙げるが、本発明が適用できるディスクメディアのフォーマットが、以下のものに限定されないことには注意されたい。
【００２２】
本例の動作で説明するディスクメディアは、物理的には相変化記録層を有するリライタブルディスクであるとする。このディスク上には螺旋状のグルーブ（溝）がウォブリング（蛇行）されて形成されている。グルーブのウォブリングによってアドレスや各種管理情報（ディスクの物理情報等）が記録されている。ウォブリンググルーブにより記録されている情報はＡＤＩＰ（Address in pre-groove）情報と呼ばれる。このＡＤＩＰ情報はグルーブの蛇行によるものであり書換不能な再生専用情報である。
例えばディスクがディスクドライブ装置にローディングされた時には、記録面上のウォブリンググルーブに刻まれたＡＤＩＰ情報からディスクに固有な情報が読み出されて、ディスクの規格や種別（ＲＯＭタイプ、リライタブルタイプ、ライトワンスタイプ等）の別、データゾーン構造、動作推奨値等が認識される。ディスクドライブ装置は、これらの情報を認識することで、適正な記録再生動作を実行できることになる。
【００２３】
まず図８に、ディスクのエリア構造（データレイアウト）を示す。
図８はディスクを半径方向に模式的に示しているが、図示するように、ディスクの論理的なデータレイアウトとしては、ディスク内周側から外周側にかけて、インフォメーションゾーン（Information Zone）が形成される。このインフォメーションゾーンは、データの記録互換、再生互換を確保するために必要な情報を全て含んでいる領域である。
インフォメーションゾーンは主に以下の５つの領域から構成される。
・インナードライブエリア
・リードインゾーン（リードインエリアともいう）
・データゾーン（データエリアともいう）
・リードアウトゾーン（リードアウトエリアともいう）
・アウタードライブエリア
【００２４】
インナードライブエリアとアウタードライブエリアは記録装置専用の領域（再生専用の装置ではアクセスされない領域）である。情報の記録を行う時には、正しい記録マークが形成できるように記録時のレーザーパワーを調整しなくてはならない。このため、最適記録条件を求めるためのテスト記録に使用できるテストゾーンと記録条件にかかわる管理情報を記録できる領域が、インナードライブエリアとアウタードライブに形成される。
【００２５】
フィジカルセクターナンバ（ＰＳＮ：Physical Sector Number, 物理セクターナンバ）は、ディスク上の絶対位置情報として付与されている。
図示するように、例えばディスク内周側から外周側に掛けてフィジカルセクターナンバの値は増加されていく。数値は一例であるが、例えばＰＳＮ＝２ＦＦＦＦｈ（ｈを付した数値は１６進表現）がリードインゾーンの終端とされ、ＰＳＮ＝３００００ｈからデータゾーンが開始される。
データゾーンは、基本的にはユーザーデータの書込が行われる領域であり、またリードインゾーンは、管理情報の書込が行われる。またリードアウトゾーンは例えば再生専用ディスクとの互換維持などの目的からダミーデータの書込が行われたり、リードインゾーンと略同内容の管理情報が記録される場合などがある。
【００２６】
また、インフォメーションゾーンの全体はデータ書込可能な領域であり、上述のように記録トラックとしてウォブリンググルーブが形成されている。グルーブに沿ってトラッキングを行うことで、ピット（相変化ピットマーク）が形成されていない未記録領域において、記録時に適切にトラックをトレースできる。
また、グルーブがウォブリングされていることでＡＤＩＰ情報が記録されているが、上記フィジカルセクターナンバＰＳＮは、ＡＤＩＰアドレスとしてインフォメーションゾーン全体にわたって記録されているものとなる。
詳しくは後述するが、ＡＤＩＰ情報としては、ＡＤＩＰアドレス以外にＰＦＩ（フィジカルフォーマットインフォメーション）と呼ばれる物理フォーマット情報も記録される。
特に図示するように、リードインゾーンとなる位置におけるＡＤＩＰ情報として、ＰＦＩが繰り返し記録されている。
【００２７】
２．ウォブルフォーマット
ウォブリンググルーブとして記録されるＡＤＩＰ情報の構造を説明する。
図９（ａ）はウォブリングの単位を示す。１ウォブルは３２チャンネルビットの区間に相当し、８ウォブルと８５モノトーンウォブルの９３ウォブルで１つのＡＤＩＰユニットを有する単位が形成される。
８５モノトーンウォブルは、変調されていない８５波のウォブル区間である。そして先頭の８ウォブルが、情報に応じて位相変調されたウォブルとされていることで、１つのＡＤＩＰユニットとしての情報を備える。
【００２８】
図９（ｂ）はＡＤＩＰワードの構造を示している。
上記のように８ウォブルで１つのＡＤＩＰユニットが形成されるが、そのＡＤＩＰユニットが５２個集められて１つのＡＤＩＰワードが形成される。
図９（ｂ）における「wobble 0」「wobble 1 to 3」「wobble 4 to 7」は、上記ＡＤＩＰユニットとしての８ウォブルの各ウォブルを示している。
ＡＤＩＰワードの先頭のＡＤＩＰユニットはシンクユニットとされ、「wobble 0」及び「wobble 1 to 3」が、ワードシンクとして位相変調されたウォブルとされる。
ＡＤＩＰワードにおける２番目以降のＡＤＩＰユニットは、それぞれデータユニットとされ、「wobble 0」によりビットシンクが、また「wobble 4 to 7」がデータビット（つまりデータとしての「１」又は「０」）を表すものとされる。
５２ＡＤＩＰユニットで構成される１つのＡＤＩＰワードは４フィジカルセクターの区間に相当する（フィジカルセクターについては後述）。
そして４ＡＤＩＰワードでＡＤＩＰ情報としての１つのＥＣＣブロックが形成される。
【００２９】
図１０はＡＤＩＰのＥＣＣブロックを構成する４つのＡＤＩＰワードを示している。
１つのＡＤＩＰワードからは、上記のようにワードシンクを除いて５１ビットのデータが抽出されるが（データビット１〜５１）、データビット２〜２３によってＡＤＩＰアドレスが記録される。
またデータビット２４〜３１はＡＵＸデータとされる。
またデータビット３２〜５１はＥＣＣパリティとされる。
データビット２〜２３によるＡＤＩＰアドレスは、インフォメーションゾーンの全体にわたって記録される。
【００３０】
リードインゾーンにおけるＡＤＩＰ情報としては、１つのＡＤＩＰワードにつき１バイトのＡＵＸデータ（１ＥＣＣ単位で４バイトのＡＵＸデータ）によってＰＦＩ（フィジカルフォーマットインフォメーション）が記録される。
このＰＦＩは、２５６バイトで１つの情報単位とされる。つまり、１ＥＣＣブロック毎に４バイト得られるＡＵＸデータが２５６バイト集められて、図１１のようなＰＦＩが読み出される。このようなＰＦＩが、リードインゾーンにおいてＡＵＸデータを用いて繰り返し記録されている。
【００３１】
図１１にＰＦＩの内容を示すように、ＰＦＩには、それぞれ所定のバイト位置に、ディスクカテゴリ／バージョンナンバ、ディスクサイズ、ディスク構造（Disc structure）、記録密度(Recording Density)、データゾーンアロケーション、ディスクアプリケーションコード、エクステンデッドインフォメーションインジケータ、ディスクマニファクチャーＩＤ、メディアタイプＩＤ・・・など、各種物理フォーマット情報が含まれている。
このＰＦＩによって、ディスク種別、サイズ、ゾーン構成、その他、記録再生動作の際の線速度情報など、ディスクに関する各種情報が得られる。
【００３２】
３．データフォーマット
続いて、上記のようなＡＤＩＰ情報を有するウォブリンググルーブを記録トラックとして記録されるデータ（相変化記録データ）にかかるフィジカルセクター構造を説明する。
上記図８に示した各ゾーン内ではフィジカルセクター（以下、単にセクターとも言う）が連続するものとなる。
【００３３】
１つのセクターは、図１２（ａ）のように、４バイトのＩＤフィールド、２バイトのＩＥＤフィールド、６バイトのリザーブ、２０４８バイトのメインデータフィールド、及び４バイトのＥＤＣフィールドから成る。
ＩＤフィールドは、セクタのヘッダ情報が記録される。
ＩＥＤフィールドには、ＩＤフィールドのデータに対するエラー検出コードが記録される。
メインデータフィールドには２０４８バイトのメインデータが記録される。例えばデータゾーンにおけるセクターでは、このメインデータとしてユーザーデータが記録される。またリードインゾーンにおけるセクターでは、メインデータとして管理情報が記録される。
ＥＤＣフィールドには、ＩＤフィールドからメインデータフィールドのデータに対するエラー検出コードが記録される。
【００３４】
上記ＩＤフィールドの構成を図１２（ｂ）に示す。
４バイト（３２ビット）のＩＤフィールドにおいては、ビットｂ０〜ｂ２３の２４ビットでＰＳＮ（Physical Sector Number）が記録される。つまり当該セクタの物理アドレスである。
ビットｂ２４〜ｂ３１の８ビットではセクターインフォメーションが記録される。
このセクターインフォメーションの内容を図２（ｃ）に示す。
ビットｂ２４には、そのセクタを含む記録層のレイヤナンバが記録される。
ビットｂ２５には、例えばリライタブルデータであることを示すデータタイプが記録される。
ビットｂ２６，ｂ２７にはゾーンタイプが記録される。つまりそのセクターを含むゾーンを示す。例えばこの２ビットが、「００」であればデータゾーン、「０１」であればリードインゾーン、「１０」であればリードアウトゾーンを、それぞれ示すものとなる。
ビットｂ２８はリザーブとされる。
ビットｂ２９には反射率を示す値が記録される。
ビットｂ３０はトラッキング方式（例えばグルーブトラッキング）を示す値が記録される。
ビットｂ３１はセクターフォーマットタイプ（例えばＣＬＶフォーマット）を示す値が記録される。
【００３５】
以上の構造のセクターを図１３ではフィジカルセクターＰＳ１〜ＰＳ１６として示している。連続する１６個のフィジカルセクターＰＳ１〜ＰＳ１６によって、データブロックとしての１つのＥＣＣブロックが形成される。
また１つのセクターＰＳは、２６個のシンクフレームＳＦ１〜ＳＦ２６により形成される。シンクフレームＳＦとは、１４８８チャンネルビットの単位であり、図示するように３２チャンネルビットのフレームシンク（sync）と１４５６チャンネルビットのデータＤＴを有する単位である。
２つのシンクフレーム（２９７４チャンネルビット区間）が、上記した９３ウォブルの区間長に相当する（１ウォブル＝３２チャンネルビット）。
【００３６】
１セクタ、つまり２６個のシンクフレームＳＦ１〜ＳＦ２６のフレームシンクのパターン例を図１４に示す。
フレームシンクとしては、シンクパターンＳＹ０〜ＳＹ７の８種類のパターンが設定されている。シンクフレームＳＦ１〜ＳＦ２６のそれぞれに、図１４のように８種類のパターンが割り当てられていることで、そのシンクフレームのパターンの並びによって、セクター内でのフレーム位置（シンクフレームＳＦ１〜ＳＦ２６のいずれか）を検出できる構造となっている。
【００３７】
４．リライタブルディスクのデータ書き出し位置
以上のフィジカルセクター構造のデータを、ウォブリンググルーブによる記録トラック上に記録する場合のデータ書き出し位置を図１５に示す。
リライタブルディスクに対するデータ記録は、図９（ｂ）のＡＤＩＰワード構造の先頭をウォブル基準位置Ｐ１とし、その１６ウォブル区間を経た位置が、リライタブルデータの書き出し位置Ｐ２とされる。
図示する２シンクフレーム区間は９３ウォブル区間長となるため、リライタブルデータとして記録される各２シンクフレームは、ＡＤＩＰユニットに対して１６ウォブル分ずれた状態で連続されることになる。
【００３８】
なお本実施の形態では、物理的には相変化記録層を有してリライタブル型とされるディスクを、そのままリライタブル用途に用いるだけでなく、ライトワンス用途としても用いることができるようにするものである。
図１５のような基準位置Ｐ１から１６ウォブルを経た位置Ｐ２がデータ書き出し位置とされるのは、リライタブルディスクがそのままリライタブル用途として用いられる場合である。
【００３９】
５．ディスクドライブ装置の構成
本例のディスクドライブ装置の構成を図１で説明する。
ディスク１は、上記構造のリライタブルディスク（相変化ディスク）である。なお、同規格のＲＯＭディスク（エンボスピットディスク）やライトワンスディスク（色素変化ディスク）についても対応可能である。
ディスク１は、図示しないターンテーブルに積載され、記録再生動作時においてスピンドルモータ２によって一定線速度（ＣＬＶ）もしくは一定角速度（ＣＡＶ）で回転駆動される。そして光学ピックアップ３によってディスク１にエンボスピット形態、色素変化ピット形態、或いは相変化ピット形態などで記録されているデータや、ウォブリンググルーブによるＡＤＩＰ情報の読み出しが行なわれることになる。
【００４０】
ピックアップ３内には、レーザ光源となるレーザダイオード３ａや、反射光を検出するためのフォトディテクタ３ｂ、レーザ光の出力端となる対物レンズを保持する二軸アクチュエータ３ｃ、レーザダイオード３ａからのレーザ出力制御を行うＡＰＣ回路３ｄ、さらには図示していないが、レーザ光を対物レンズを介してディスク記録面に照射し、またその反射光をフォトディテクタ３ｂに導く光学系等が搭載されている。
二軸アクチュエータ３ｃは対物レンズをトラッキング方向及びフォーカス方向に移動可能に保持する。
またピックアップ３全体はスライド駆動部４によりディスク半径方向に移動可能とされている。
【００４１】
ディスク１からの反射光情報はフォトディテクタ３ｂによって検出され、受光光量に応じた電気信号とされてアナログシグナルプロセッサ８に供給される。
アナログシグナルプロセッサ８では、マトリクスアンプ８ａによりフォトディテクタ３ｂの各受光部の信号についてマトリクス演算を行う。マトリクスアンプ８ａによって、例えばサーボ制御のためのフォーカスエラー信号ＦＥ、トラッキングエラー信号ＴＥが生成され、またウォブリンググルーブの情報としてのプッシュプル信号Ｐ／Ｐを生成する。
またアナログシグナルプロセッサ８では、リードチャンネルフロントエンド８ｂにより再生ＲＦ信号が生成される。
ＲＦ信号、フォーカスエラー信号ＦＥ、トラッキングエラー信号ＴＥ、プッシュプル信号Ｐ／Ｐは、それぞれＡ／Ｄ変換器１２でデジタル信号とされてデジタルシグナルプロセッサ９に入力される。
デジタルシグナルプロセッサ９は、ライトパルスジェネレータ９ａ、サーボシグナルプロセッサ９ｂ、ＲＦシグナルプロセッサ９ｃ、ウォブルシグナルプロセッサ９ｄを備える。
【００４２】
マトリクスアンプ８ａで生成されＡ／Ｄ変換器でデジタル信号とされたプッシュプル信号Ｐ／Ｐは、ウォブルシグナルプロセッサ９ｄにおいてデコード処理され、ＡＤＩＰ情報が抽出される。ＡＤＩＰ情報として得られたアドレスや物理フォーマット情報等は、ディスクコントローラ１４を介してＣＰＵ１５に供給される。
【００４３】
サーボシグナルプロセッサ９ｂは、入力されるフォーカスエラー信号ＦＥ、トラッキングエラー信号ＴＥや、例えばＲＦシグナルプロセッサ９ｃでのＰＬＬ処理等で検出できる回転速度情報などから、フォーカス、トラッキング、スライド、スピンドルの各種サーボドライブ信号を生成しサーボ動作を実行させる。
サーボドライブ信号は、Ｄ／Ａ変換器１６を介してサーボ駆動回路５に供給される。サーボ駆動回路５は、フォーカス／トラッキングのサーボドライブ信号に基づいて二軸アクチュエータ３ｃを駆動し、フォーカスサーボ／トラッキングサーボ動作を実行させる。またスライドドライブ信号に基づいてスライド駆動部４を駆動し、ピックアップ３の移送動作を実行させる。またスピンドルサーボドライブ信号に基づいて、スピンドルモータ２を回転駆動する。
またサーボシグナルプロセッサ９ｂでは、ＣＰＵ１５からの指示により、フォーカスサーチ、トラックジャンプ、シーク等の動作が実行されるように、上記各信号をサーボ駆動回路５に供給する。
【００４４】
リードチャンネルフロントエンド８ｂで生成されＡ／Ｄ変換器１２でデジタル信号とされたＲＦ信号は、ＲＦシグナルプロセッサ９ｃで処理された後、ディスクコントローラ１４に供給される。
ディスクコントローラ１４は、エンコード／デコード部１４ａ、ＥＣＣ処理部１４ｂ、ホストインターフェース１４ｃを備える。
ディスクコントローラ１４では、再生時においては、ＲＦシグナルプロセッサ９ｃから供給されるデータに対してエンコード／デコード部１４ａでデコード処理を行い、またＥＣＣ処理部１４ｂでエラー訂正処理を行って、再生データを得る。
またディスクコントローラ１４は、デコード処理により得られた情報の中から、サブコード情報やアドレス情報、さらには管理情報や付加情報を抜き出しており、これらの情報をＣＰＵ１５に供給する。
【００４５】
再生データは、当該ディスクドライブ装置のコントローラとして機能するＣＰＵ１５の制御に基づいて、ホストインターフェース１４ｃから外部のホスト機器１００（例えばパーソナルコンピュータ等）に転送される。
即ちＣＰＵ１５はホストインターフェース１４ｃを介してホスト機器１００との間で再生データやリード／ライトコマンド等の通信を行っており、ホスト機器１００からのリードコマンドに応じて、ディスク１に対する再生制御を行い、デコードされた再生データを転送する。
またホスト機器１００からライトコマンド及び記録データが供給されることでＣＰＵ１５はディスク１に対する記録動作を実行させるものとなる。
【００４６】
データの記録時においては、ホスト機器１００から供給された記録データは、ＥＣＣ処理部１４ｂでエラー訂正コードが付加され、エンコード／デコード部１４ａでエンコード処理される。
エンコードされた記録データは、デジタルシグナルプロセッサ９におけるライトパルスジェネレータ９ａに供給される。ライトパルスジェネレータ９ａは、記録用のエンコードされたデータに対して波形整形等の処理を行い、レーザ変調データとしてＡＰＣ回路３ｄに与える。
ＡＰＣ回路３ｄは、レーザ変調データに応じてレーザダイオード３ａを駆動し、記録データに応じたレーザ出力を実行させ、ディスク１にデータ書込を行う。
ディスク１が相変化記録層のリライタブルディスクの場合は、レーザー光の加熱によって記録層の結晶構造が変化し、相変化ピットが形成されていく。つまりピットの有無と長さを変えて各種のデータが記録される。また、ピットを形成した部分に再度レーザー光を照射すると、データの記録時に変化した結晶状態が加熱によって元に戻り、ピットが無くなってデータが消去される。
【００４７】
６．ＲＷ用途及びＷＯ用途での記録再生動作
本例のディスクドライブ装置では、リライタブルディスクをそのままリライタブル用途として使用するほか、ライトワンス用途として使用することもできるようにしている。
なお、説明上の区別のため、リライタブルディスクをリライタブル用途として使用して記録するピットデータ（相変化ピットデータ）をＲＷデータ、リライタブルディスクをライトワンス用途として使用して記録するデータ（同じく相変化ピットデータ）をＷＯデータということとする。
【００４８】
上述したように、リライタブルディスクをライトワンス用途として使用する場合、本来書換が可能な相変化ピットデータについてデータの書換が禁止されることが補償されなければならず、これは他の記録再生装置に装填されたとしても、そのデータの書換ができないことが要求される。
本例では、リライタブル用途の場合とライトワンス用途の場合とで、データの書き出し位置を異なるようにすることで、ライトワンス用途の場合にデータ書換不能とするものである。
【００４９】
図２、図３によりＲＷデータを記録する場合とＷＯデータを記録する場合の書き出し位置の違いを説明する。
図２はリライタブルディスクをリライタブル用途とする場合のＲＷデータとして１ＥＣＣブロックの書き出し位置を、ウォブルを基準にして示している。
上述したようにウォブリングは９３ウォブルの区間で８ウォブルのＡＤＩＰユニットと８５モノトーンウォブルを有する。そして５２ＡＤＩＰユニットでＡＤＩＰワードが構成され、また４ＡＤＩＰワードが１つのＥＣＣブロックとなる。
一方、相変化ピットとして記録されるデータは、２６シンクフレームで１フィジカルセクターが形成され、１６フィジカルセクターで１ＥＣＣブロックが形成される。
そしてＡＤＩＰワード構造の先頭をウォブル基準位置Ｐ１とすると、図１５でも述べたように、ＲＷデータの書き出し位置は、基準位置Ｐ１より１６ウォブルを経た位置Ｐ２となる。図２では、ウォブルのＡＤＩＰワード構造に対して、このように位置Ｐ２を書き出し位置としたＲＷデータのＥＣＣブロックを示しているものである。
【００５０】
これに対して、リライタブルディスクをライトワンス用途として使用してＷＯデータを記録する場合、図２に示すＷＯデータ書き出し位置範囲の間を、書き出し位置として設定する。
このＷＯデータ書き出し位置範囲とは、基準位置Ｐ１から１ＡＤＩＰワード以降、４ＡＤＩＰワード未満の範囲である。
図３に、このＷＯデータ書き出し位置範囲内での或る位置Ｐ３を、ＷＯデータの書き出し位置とした例を示している。
ＲＷデータとＷＯデータでは、フィジカルセクター及びＥＣＣブロック構造は全く同様とするが、このように書き出し位置を基準位置Ｐ１に対して位置Ｐ２，Ｐ３で異なるようにする。
このようにＷＯデータの書き出し位置を設定することで、このＷＯデータは、物理的には書換可能な相変化ピットデータでありながら、あらゆる記録再生装置において書換を不能とできる。
【００５１】
この理由を図４，図５で説明する。
図４はＲＷデータの場合を示している。記録されたＲＷデータを読み出す場合、ディスクドライブ装置は、まずＥＣＣブロックの先頭（ファーストシンク：先頭のシンクフレームのフレームシンク）を探し出さなければならない。このため、一般にディスクドライブ装置では、最大１ＡＤＩＰワードの区間で、図示するようにシンク検出ウインドウを立ち上げ、記録されたデータについてのＥＣＣブロックのファーストシンクを検出する処理を行うものとしている。
シンク検出ウインドウは、ウォブル基準位置Ｐ１のタイミングで立ち上げられ、ファーストシンクが検出できた時点で立ち下げられるが、検出できない状態が続くと、破線で示すように最大１ＡＤＩＰワード区間、継続される。例えば通常は基準位置Ｐ１から１６ウォブル経過したタイミングでファーストシンクが検出され、シンクフレームが立ち下げられる。
そしてこのファーストシンクをＥＣＣブロック単位のデータ書き出し位置を把握し、ＥＣＣブロック単位での適正なデコード処理が可能となる。
【００５２】
ところがＷＯデータについては、図３の位置Ｐ３のように書き出し位置を設定すると、通常のディスクドライブ装置ではファーストシンク検出ができないことになる。
即ち基準位置Ｐ１から１ＡＤＩＰワードの区間シンクウインドウを開いていても、その間にファーストシンクを含む最初のシンクフレームが存在しないためである。
つまり、ＷＯデータの書き出し位置Ｐ３が、基準位置Ｐ１から１ＡＤＩＰワード以降、４ＡＤＩＰワード未満の範囲において設定されていることにより、通常のリライタブルディスクに対する読出方式では、ＷＯデータとしての書き出し位置を検出できず、適正にＥＣＣブロック単位のデータを抽出できないものとなる。
【００５３】
従って、通常のディスクドライブ装置、つまりリライタブルディスクをライトワンス用途として使用することを想定していない装置では、ライトワンス用途とされたリライタブルディスクについては、ＷＯデータの再生もできず、これにより記録されたデータを改竄するように書き換えることもできない。
もちろん物理的にはリライタブルディスクであるため、通常のリライタブルディスクとして扱って、新たにデータを書き込むことは可能であるが、その場合は、記録されていたＷＯデータは破壊されることになる。
なお、ＷＯデータ書き出し位置を設定可能な範囲の上限を４ＡＤＩＰワード未満とするのはＥＣＣブロックが４ＡＤＩＰワード相当であることによる。つまり４ＡＤＩＰワードを越えることは、１ＡＤＩＰワード未満と同等であるからである。
【００５４】
一方、本実施の形態のディスクドライブ装置では、図６，図７の処理により、リライタブルディスクを適正にリライタブル用途、ライトワンス用途で使い分けることができる。
なお、物理的にはリライタブルディスクとされた或るディスク１をリライタブル用途とするか、ライトワンス用途とするかは、ディスク毎に予め決められている。
換言すれば、ライトワンス用途とするリライタブルディスクは、予めライトワンス用途専用に製造されるものである。
ただし、ライトワンス用途とするのは、単に物理フォーマット情報でライトワンス用途であることが示されればよい。図１１でＡＤＩＰ情報として記録されるＰＦＩ（物理フォーマット情報）を説明したが、例えばこのＰＦＩにおけるディスクカテゴリー／バージョンナンバの情報内容として、そのディスクがリライタブル用途かライトワンス用途かを示す情報を含めるようにする。
ＡＤＩＰ情報は物理的に書き換えることができないため、その用途の別はディスク製造時に固定されることになる。
【００５５】
図６は、本例のディスクドライブ装置においてＣＰＵ１５の制御によるディスク装填時の処理を示している。
ディスク１が装填されると、処理はステップＦ１０１からＦ１０２に進み、ＣＰＵ１５はスタートアップ処理を開始させる。即ち、初期動作としてスピンドルモータ起動、回転数整定、フォーカスサーチ／フォーカスサーボオン、トラッキングサーボオン、ＰＦＩ等の管理情報読込などを実行させる。
ステップＦ１０３では、ＣＰＵ１５は、ＡＤＩＰ情報として読み出されたＰＦＩを取り込み、ディスク種別を判別する。特には、装填されたディスク１が物理的にはリライタブルディスクであった場合は、それがリライタブル用途のディスクであるか、ライトワンス用途のディスクであるかの情報を確認する。そしてステップＦ１０４でディスク属性を確定し、ステップＦ１０５でホスト機器１００からのコマンドの待機状態に入る。
【００５６】
図７は、ホスト機器１００からリードコマンド又はライトコマンドが送信されてきた場合の処理を示している。
ＣＰＵ１５は、ホスト機器１００からのコマンド受信に応じて、処理をステップＦ２０１からＦ２０２に進め、ディスク種別に応じて処理を分岐する。
装填されているディスク１がリライタブル用途のディスクとして属性が確定されていた場合は、処理はステップＦ２０３に進むことになる。即ち、リード／ライトコマンドで指示されたアドレスに基づいて、サーボシグナルプロセッサ９ｂに指示してピックアップ３の目標セクタへのシークを開始させる。
ステップＦ２０４ではシーク動作により例えば目標セクタの手前１０セクタに到達したかを判断し、到達したら、記録トラックをトレースする状態で目標セクタまで進行させる。
そしてステップＦ２０５で目標セクタへの到達が確認されたら、ステップＦ２１４として要求された動作、つまりディスク１に対するデータ再生或いはデータ記録を実行する。
なお、この場合、ライトコマンドに基づくデータ記録であれば、ウォブル基準位置Ｐ１から１６ウォブル区間を経過した位置Ｐ２からデータを書き出すことになり、またリードコマンドに基づくデータ再生であれば、ウォブル基準位置Ｐ１から１６ウォブル区間を経過した位置Ｐ２近辺で検出されるファーストシンクによりデータ書き出し位置を認識して、その位置Ｐ２からのデータ読出を行うことになる。
【００５７】
一方、装填されているディスク１がライトワンス用途であれば、ステップＦ２０２からステップＦ２０６に進む。
ステップＦ２０６では、今回のコマンドがリードコマンドかライトコマンドかにより処理を分岐する。そしてライトコマンドであった場合はステップＦ２０７に進む。ステップＦ２０７では、今回のライトコマンドで指示されたアドレスに基づいて、その書き込み要求にかかる位置の記録状況を判別する。ライトワンス用途とする場合、書換は禁止されなければならないため、もしライトコマンドで指示されたアドレスの範囲に、すでにデータ記録が行われていると判別された場合は、ステップＦ２０８からＦ２０９に進み、ホスト機器１００にエラーを返信する。
即ち、ホスト機器１００からデータ書換のコマンドがきた場合には、ライトワンス用途であるため、それを禁止する処理となる。
【００５８】
今回のコマンドがリードコマンドの場合、或いは未記録領域へのライトコマンドの場合は、ステップＦ２１０に進み、リード／ライトコマンドで指示されたアドレスに基づいて、サーボシグナルプロセッサ９ｂに指示してピックアップ３の目標セクタへのシークを開始させる。
ステップＦ２１１ではシーク動作により例えば目標セクタの手前１０セクタに到達したかを判断し、到達したら、記録トラックをトレースする状態で目標セクタまで進行させる。
そしてステップＦ２１２で目標セクタへの到達が確認されたら、さらにステップＦ２１３で１ＡＤＩＰワード分進行することを待機する。
そして１ＡＤＩＰワードの区間を経過したら、ステップＦ２１４として要求された動作、つまりディスク１に対するデータ再生或いはデータ記録を実行する。
即ちこの場合、ライトコマンドに基づくデータ記録であれば、ウォブル基準位置Ｐ１から少なくとも１ＡＤＩＰワードを経過した位置Ｐ３からデータを書き出すことになり、またリードコマンドに基づくデータ再生であれば、ウォブル基準位置Ｐ１から１ＡＤＩＰワードを経過した以降に検出されるファーストシンクによりデータ書き出し位置Ｐ３を認識して、その位置Ｐ３からのデータ読出を行うことになる。
【００５９】
なお、以上の処理において手前１０セクタの監視や、ステップＦ２１３の１ＡＤＩＰワードの経過待機は一例である。ステップＦ２１３での待機する区間長は、ウォブル基準位置Ｐ１から１ＡＤＩＰワード以降４ＡＤＩＰワード未満の範囲で設定された位置Ｐ３を書き出し位置としてデータの記録再生が行われるようにする区間長に決められればよい。
【００６０】
以上のように本実施の形態のディスクドライブ装置では、少なくとも、ＲＷデータの記録再生の場合は、ウォブル基準位置Ｐ１から１６ウォブル経過した位置Ｐ２を書き出し位置とするデータの記録再生が行われ、またＷＯデータの記録再生の場合は、ウォブル基準位置Ｐ１から１ＡＤＩＰワード以降４ＡＤＩＰワード未満の範囲で設定された位置Ｐ３を書き出し位置とするデータの記録再生が行われる。
つまり図２，図３で説明したようにリライタブル用途とライトワンス用途でデータ書き出し位置が異なるものとされる。
この結果、以下のように、ライトワンス用途の場合のライトワンスタイプの特性を維持できるものとなる。
【００６１】
実施の形態のディスクドライブ装置、即ち図６，図７の処理が実行されるディスクドライブ装置では、ライトワンス用途とされたディスク１に対しては、位置Ｐ３を書き出し位置として記録再生を行うため、適正に記録、再生が可能である。また記録済の領域に対する記録（データ書換）は禁止される。このため、ライトワンス用途とされたリライタブルディスクを、通常のライトワンスディスクと同等の使用性で、かつ同等のデータ更新不能という特性を有するディスクとして使用できる。
一方、他のディスクドライブ装置、即ち図６，図７の処理が実行されないディスクドライブ装置では、ライトワンス用途とされたディスク１を使用できない。つまり書き出し位置が検出不能であることから、データの再生や書換ができない。このため、本実施の形態のディスクドライブ装置で記録されたライトワンス用途のディスク１のデータ内容を、他のディスクドライブ装置で書き換えることができない。従って、あらゆるディスクドライブ装置に装填される可能性を考慮しても、更新不能という特性は維持される。
そして以上のことから、リライタブルディスクをライトワンス用途で使用するという要望に添った記録再生システムを実現できることになる。
【００６２】
また本例では、ディスク１に、再生専用情報であるＡＤＩＰ情報としてリライタブル用途／ライトワンス用途の別が記録されているものとしている。これは、物理的には相変化記録層とされたリライタブルディスクの固体毎に、リライタブル用途かライトワンス用途かの別が設定されていることを意味するとともに、ライトワンス用途とされたリライタブル記録媒体を、リライタブル用途に変更できないことも意味する。
ディスク単位で用途が固定されていることで、ディスクの使用形式が明確となり、使用性が良いものとなると共に、例えば一旦リライタブル用途として使用したディスクがライトワンス用途に変更されてしまって、適切なデータ記録再生ができなくなるということも発生しない。
なお、各種ディスクメディアでは、エンボスピット領域が予め形成され、管理情報、物理情報が記録されるものも存在するが、そのようなメディアの場合は、エンボスピット情報として、リライタブル用途かライトワンス用途かの種別が記録されても良い。
【００６３】
ところで、上記例ではライトワンス用途の場合の書き出し位置Ｐ３を、基準位置Ｐ１から１ＡＤＩＰワード以降４ＡＤＩＰワード未満の範囲で設定するとしたが、この範囲は、あくまで上記例のＥＣＣブロックフォーマットの場合である。ＡＤＩＰワード構造やセクター構造が異なれば、それに応じて位置Ｐ３としての適切な範囲が代わることは当然である。
あくまでも、ライトワンス用途の場合の書き出し位置Ｐ３は、位置Ｐ３をデータ書き出し位置として記録されたＷＯデータを、ＲＷデータのように位置Ｐ２をデータ書き出し位置とみなして再生した場合に、ＥＣＣブロック単位が抽出できないことになる位置とされればよいものである。
【００６４】
また実施の形態では、本発明の記録装置及び再生装置に該当するディスクドライブ装置（記録再生装置）としての構成及び動作を示したが、本発明は再生専用装置、記録専用装置としても実現可能である。即ち、上記ディスクドライブ装置と同様に、ライトワンス用途の場合は書き出し位置を位置Ｐ３に設定して記録動作を行う記録専用装置、或いはライトワンス用途の場合は書き出し位置を位置Ｐ３と判断して再生動作を行う再生専用装置である。
【図面の簡単な説明】
【００６５】
【図１】本発明の実施の形態の記録再生装置のブロック図である。
【図２】実施の形態のＲＷデータの書き出し位置の説明図である。
【図３】実施の形態のＷＯデータの書き出し位置の説明図である。
【図４】ＲＷデータに対するファーストシンク検出の説明図である。
【図５】実施の形態のＷＯデータに対するファーストシンク検出不能の説明図である。
【図６】実施の形態のディスク挿入時の処理のフローチャートである。
【図７】実施の形態のデータ記録再生処理のフローチャートである。
【図８】ディスクのエリア構造の説明図である。
【図９】ウォブル構造の説明図である。
【図１０】ＡＤＩＰワードの説明図である。
【図１１】ＰＦＩの説明図である。
【図１２】ディスクのセクタフォーマットの説明図である。
【図１３】ディスクのデータフォーマットの説明図である。
【図１４】物理セクター構造の説明図である。
【図１５】ウォブルとＲＷデータ書き出し位置の関係の説明図である。
【符号の説明】
【００６６】
１  ディスク、２  スピンドルモータ、３  光ピックアップ、８  アナログシグナルプロセッサ、９  デジタルシグナルプロセッサ、１４  ディスクコントローラ、１５  ＣＰＵ
【図１】
2005182892.tif 000003
【図２】
2005182892.tif 000004
【図３】
2005182892.tif 000005
【図４】
2005182892.tif 000006
【図５】
2005182892.tif 000007
【図６】
2005182892.tif 000008
【図７】
2005182892.tif 000009
【図８】
2005182892.tif 000010
【図９】
2005182892.tif 000011
【図１０】
2005182892.tif 000012
【図１１】
2005182892.tif 000013
【図１２】
2005182892.tif 000014
【図１３】
2005182892.tif 000015
【図１４】
2005182892.tif 000016
【図１５】
2005182892.tif 000017